(57)【要約】【課題】ペットが排泄した尿等を効率よく吸収でき、一旦吸収された尿等が砂に再び逆戻りしないペット用トイレを提供する。【解決手段】ペット用トイレは、外容器本体と、底部が透水性の底部である内容器本体と、前記外容器本体の底部上に前記内容器本体から離間して配設される吸収性物品と、前記内容器本体に充填された砂と、からなり、前記内容器本体は、開口どうしが同方向をなすように、前記外容器本体に嵌装され、前記透水性の底部は、前記内容器本体の重さにより全体的あるいは部分的に上下動するものであり、ペットが乗ると前記透水性の底部が前記吸収性物品に当接される。【選択図】  図１
2004180571.tif 000002
【特許請求の範囲】
【請求項１】
底部と側壁と開口とを有する外容器本体と、底部と側壁と開口とを有すると共に、該底部が透水性の底部である内容器本体と、前記外容器本体の底部上に配設されている吸収性物品と、からなり、前記開口を上にして置かれるペット用トイレであって、
前記内容器本体は、前記開口どうしが同方向をなすように、前記外容器本体内に嵌装され、
前記吸収性物品は、前記内容器本体から離間して配置されており、
前記透水性の底部は、前記内容器本体の重さにより全体的あるいは部分的に上下動するものであり、
前記内容器本体に粒状体が充填された状態で使用され、ペットが乗るとその自重によって前記透水性の底部が前記吸収性物品に当接するものであることを特徴とするペット用トイレ。
【請求項２】
前記内容器本体は、上下方向に相対移動を許容する可動構造を介して前記外容器本体内に嵌装されているものであることを特徴とする請求項１に記載のペット用トイレ。
【請求項３】
前記可動構造は、弾性運動を利用するばねと、該ばねを前記外容器本体の一部と前記内容器本体の一部の間に挟み込む挟み込み構造とからなるものであることを特徴とする請求項２に記載のペット用トイレ。
【請求項４】
前記ばねは、前記外容器本体の側壁に形成された支持体と、前記内容器本体の側壁の上端部に形成されたフランジとの間に挟み込まれ、ペットの自重により圧縮するものであることを特徴とする請求項３に記載のペット用トイレ。
【請求項５】
前記ばねは、前記外容器本体の側壁に形成されたばね保持部と、前記内容器本体の側壁に形成されたばね保持部との間に挟み込まれ、ペットの自重により伸長するものであることを特徴とする請求項３に記載のペット用トイレ。
【請求項６】
前記透水性の底部は、所定の撓みを有するものであることを特徴とする請求項１に記載のペット用トイレ。
【発明の詳細な説明】
【０００１】
【発明の属する技術分野】
本発明は、室内で飼われる犬や猫などのペットに使用するペット用トイレに関する。
【０００２】
【従来の技術】
一般に室内で飼われている犬や猫などのペットが室内で尿や便を排泄するためのペット用トイレとして、例えば実用新案文献１のように、ペット用トイレ容器にすのこを設け、その下部にペットシート等の吸収性物品を設置し、上部には、ペット用トイレの砂を敷き詰めたものがあった。この種のペット用トイレは、この砂は固まるタイプ、固まらないタイプどちらを利用しても、砂を単体で使用する場合よりも、長期間使用することができるようになっている。
【０００３】
【実用新案文献１】
実用新案登録第２５８１７１５号公報
【特許文献１】
特開２００２−７８４２８号公報
【０００４】
【発明が解決しようとする課題】
ところが、このトイレは図８（ａ）に示すように、トイレ１’にペットが入って排泄する際、すのこ３’の底部３ａ’と吸収性物品４’とが密着していないために、ペットが排泄した尿等の液体は砂６’内を通って、すのこ３’の底部３ａ’の孔３ｂ’から滴下して吸収性物品４’に吸収されることになる。このため、滴下が生じない範囲では、尿等が砂６’中に残留してしまい快適性が悪いことになる。これを解消するため、図８（ｂ）に示すように、吸収性物品４’とすのこ３’の底部３ａ’とを密着させて、砂６’上の尿等の液体が吸収性物品４’に誘導されて吸収される形にして、砂６’上の尿等の液体を減量化することがなされている（例えば特許文献１参照）。この場合には、吸収性物品４’が常にすのこ３’に密着しているので、砂６’上に吸着されている尿等の液体は直ぐに吸収性物品４’に吸収されて砂６’上の排泄物の減量化ができるが、尿等の液体を吸収した後の吸収性物品４’は乾き難く、長時間悪臭を放つ原因となったり、また、一旦吸収性物品４’に吸収された尿等の液体が再びすのこ３’上の砂６’に逆移行したりしてしまい、砂６’上の排泄物の量が多くなり、その結果、砂６’の寿命を縮めるという問題があった。
【０００５】
本発明は、以上のような課題に鑑みてなされたものであり、その目的は砂等の粒状体と吸収性物品とを備え、ペットが排泄した尿等の液体を効率よく吸収性物品に吸収できるものであると共に、一旦吸収された尿等の液体が再び砂に逆戻りしないようなペット用トイレを提供することにある。
【０００６】
【課題を解決するための手段】
以上の様な目的を達成するために、本発明者らが鋭意研究を重ねた結果、トイレを外容器本体と内容器本体とからなる２重構造とし、ペットがトイレ内で排泄する時は、内容器本体の底部と吸収性物品とが密着し、通常時には、これらが離れた状態を保持するという構造とすることにより、上記課題を解決できることを見出し、本発明を完成するに至った。
【０００７】
より具体的には、本発明は、以下のようなものを提供する。
【０００８】
（１）  底部と側壁と開口とを有する外容器本体と、底部と側壁と開口とを有すると共に、該底部が透水性の底部である内容器本体と、前記外容器本体の底部上に配設されている吸収性物品と、からなり、前記開口を上にして置かれるペット用トイレであって、前記内容器本体は、前記開口どうしが同方向をなすように、前記外容器本体内に嵌装され、前記吸収性物品は、前記内容器本体から離間して配置されており、前記透水性の底部は、前記内容器本体の重さにより全体的あるいは部分的に上下動するものであり、前記内容器本体に粒状体が充填された状態で使用され、ペットが乗るとその自重によって前記透水性の底部が前記吸収性物品に当接するものであることを特徴とするペット用トイレを提供する。
【０００９】
本発明によれば、通常は内容器本体の透水性の底部は、吸収性物品と接触していないが、犬や猫などのペットが、排泄のために内容器本体内に入った際に、ペットの自重により、透水性の底部が下方に移動して吸収性物品に当接することになる。これによって、排泄された尿等の液体は内容器本体の底部に接触する吸収性物品に効率よく吸収される。一方、ペットが排泄を終えてトイレから出ると、透水性の底部は元の状態に復元して内容器本体の底部と吸収性物品とは離間して空間が生じる。このため、吸収性物品に吸収された尿等の液体が内容器本体に充填された粒状体（砂）に逆戻りすることがない。また、通常は吸収性物品と内容器本体とは離れていて空間が形成されているので、吸収性物品に吸収された尿等の液体は乾き易く、短期間で悪臭が解消される。また、排泄物を吸収した吸収性物品の上方に粒状体が充填された内容器本体が配置され、この内容器本体が蓋の役割を果たすことになるから、尿等の液体を吸収した吸収性物品から発する悪臭が、表に出にくいことになる。
【００１０】
ここで、透水性の底部とは、内容器本体の底部に形成され、排泄された尿等の液体を内容器本体に充填された粒状体（砂）上から外部に移行するための開口を有するものであって、その開口は尿等の液体は透過するが粒状体（砂）は通さない大きさであって、すのこ状、網目状、格子状等といった形に形成されている。また、吸収性物品とは、尿等の液体を吸収するシート状のものを意味し、パルプや高吸水性ポリマーの吸収性素材から形成される。また、粒状体（砂）とは、内容器本体に充填され、犬や猫などのペットが排泄する際の便床を構成する粒子の比較的細かい粒状のものを意味し、川砂や海砂等の砂、鉱物系のゼオライト、尿などを吸収すると固まるベントナイト、粉砕パルプ等を固めて円柱形または球形の粒状に成形したセルロース粒などの他、シリカゲル等の固まらずに吸水性を有する素材からなる粒などが挙げられる。
【００１１】
（２）  前記内容器本体は、上下方向に相対移動を許容する可動構造を介して前記外容器本体内に嵌装されているものであることを特徴とする（１）に記載のペット用トイレを提供する。
【００１２】
本発明によれば、犬や猫などのペットが、排泄のためにペット用トイレの内容器本体内に入った際に、ペットの自重で内容器本体が下方に移動されることになる。これによって、内容器本体の下方に離間して配設された吸収性物品に内容器本体の透水性の底部が接触することになるので、上記に説明したように、排泄された尿等の液体は内容器本体の底部に接触する吸収性物品に効率よく吸収される。一方、ペットが排泄を終えてペット用トイレから出ると、内容器本体は上方に移動し元の位置に戻り、内容器本体の底部と吸収性物品とは離間して空間が生じる。このため、吸収性物品に吸収された尿等の液体が内容器本体に充填された粒状体（砂）に逆戻りすることがない。また、吸収性物品が乾き易く、悪臭が短期間で解消される。
【００１３】
可動構造は、外容器本体内に嵌装された内容器本体が上下方向に相対移動を可能にするもので、弾性運動の反発力で伸縮する弾性体を利用して、内容器本体と外容器本体の間に弾性体を配置し、内容器本体の重量変化で弾性体が伸縮して内容器本体を上下方向に可動するものであって、この際に使用される弾性体としてはコイルばねや板ばね等のばね弾性体、ゴム弾性体等が挙げられる。
【００１４】
尚、コイルばねとは、金属線を円筒状に巻いたばねを意味し、圧縮ばね、引張ばね、ねじりばね等が挙げられる。また、板ばねとは、薄い金属板を曲げたばねを意味し、この板を数枚重ね合わせたものも含むものとする。
【００１５】
（３）  前記可動構造は、弾性運動を利用するばねと、該ばねを前記外容器本体の一部と前記内容器本体の一部の間に挟み込む挟み込み構造とからなるものであることを特徴とする（２）に記載のペット用トイレを提供する。
【００１６】
本発明によれば、外容器本体の一部と内容器本体の一部の間に挟み込まれたばねの弾性力により、外容器本体に支えられた内容器本体内にペットが出入りした際に、ペットの自重による内容器本体の重量変化でばねが伸縮して内容器本体を上下方向に可動される。これによって、ペットが排泄のために内容器本体内に出入りする際に、ペットの自重で内容器本体が上下に移動して内容器本体の底部が吸収性物品に接触し、また離間することになるので、上記に説明したような効果を奏することになる。
【００１７】
尚、このばねとしては、コイルばねや板ばね等のばね弾性体等が挙げられ、これらは耐久性が有し、弾性力の選定範囲が広いので好ましい。
【００１８】
尚、このばねはペットがトイレ内にいない通常の状態では、内容器本体が外容器本体の底部上に配設された吸収性物品に接触しないように浮いた状態を保持でき、ペットが内容器本体内に入った際に、ペットの自重で内容器本体が下方に下がって吸収性物品と接触できる程度の弾力性を有するもので、その材質や個数は、対象とするペットの種類や大きさ等によって適宜選定すればよい。また、内容器本体を上下方向に可動させる機構としては、ばねが圧縮されて収縮することにより内容器本体を下方に可動させる（すなわち、圧縮ばねを使用して、内容器本体がこのばねを介して外容器本体に載せられた場合）、あるいは、ばねが引っ張られて伸長することにより内容器本体を下方に可動させる（すなわち、引張ばねを使用して、内容器本体がこのばねを介して外容器本体に吊り下げられた場合）のいずれであってもよい。
【００１９】
（４）  前記ばねは、前記外容器本体の側壁に形成された支持体と、前記内容器本体の側壁の上端部に形成されたフランジとの間に挟み込まれ、ペットの自重により圧縮されるものであることを特徴とする（３）に記載のペット用トイレを提供する。
【００２０】
本発明によれば、犬や猫などのペットが、排泄のためにペット用トイレの内容器本体内に入った際に、外容器本体の側壁に形成された支持体と内容器本体の側壁の上端部に形成されたフランジとの間に挟み込まれたばねがペットの自重で圧縮されて、内容器本体が下方に移動される。これによって、内容器本体の底部は吸収性物品に接触することになり、排泄された尿等の液体は内容器本体の底部に接触する吸収性物品に効率よく吸収される。
【００２１】
（５）  前記ばねは、前記外容器本体の側壁に形成されたばね保持部と、前記内容器本体の側壁に形成されたばね保持部との間に挟み込まれ、ペットの自重により伸長するものであることを特徴とする（３）に記載のペット用トイレを提供する。
【００２２】
本発明によれば、犬や猫などのペットが、排泄のためにペット用トイレの内容器本体内に入った際に、外容器本体の側壁に形成されたばね保持部と内容器本体の側壁に形成されたばね保持部との間に挟み込まれたばねがペットの自重で引っ張られて延び、内容器本体が下方に移動される。これによって、内容器本体の底部は吸収性物品に接触することになり、上記に説明したように排泄された尿等の液体は内容器本体の底部に接触する吸収性物品に効率よく吸収される。
【００２３】
（６）  前記透水性の底部は、所定の撓みを有するものであることを特徴とする（１）に記載のペット用トイレを供給する。
【００２４】
本発明によれば、ペットがトイレで排泄するために内容器本体内に入ると、ペットの自重により、内容器本体の透水性の底部が撓んで変形し、下方に下がることになる。これによって、透水性の底部は吸収性物品に接触することになる。また、ペットがトイレから出ると、ペットの自重よる撓みが復元されて元の状態に戻り、内容器本体の底部と吸収性物品は離間することになる。これによって、上記（１）で説明したように、ペットが排泄時には尿等の液体は吸収性物品に効率よく吸収され、ペットがいない通常時は吸収性物品が乾き易く、悪臭が短期間で解消されるという効果を奏することになる。
【００２５】
尚、撓みを有する素材としては、弾力性を有し、ペットが内容器本体内に入った際は、ペットの自重で撓み、ペットが出た際には、元の状態に復元できる材質のものであって、例えば金網、ポリエチレンやポリプロピレン等のプラスチック材料から成る網、ゴム材料から成る網等が挙げられる。
【００２６】
【発明の実施の形態】
以下、本発明の実施形態について図面を参照しながら説明する。尚、これによって本発明が限定されるものではない。
【００２７】
図１は本発明のペット用トイレに係る第１の実施形態を示す概略断面図であり、図２は第１の実施形態のペット用トイレの分解斜視図であり、図３は第１の実施形態に係る内容器本体の概略平面図である。また、図４は内容器本体を外容器本体内に嵌装する状態を説明する説明図であり、図５は第１の実施形態の内容器本体を変えた別実施例の使用状態図であり、図６は第１の実施形態の可動構造を変えた別実施例を示す概略断面図である。
【００２８】
図１ないし図３において、符番１に示されるペット用トイレは、外容器本体２と、内容器本体３と、外容器本体２の底部上に配設された吸収性物品４と、内容器本体３に充填された粒状体（砂）６とコイルばね（圧縮ばね）５とを主要素として構成されている。
【００２９】
外容器本体２は、側壁２ａと底部２ｃと開口２ｄとから構成されるプラスチック材料を成形加工したものであって、側壁２ａの内側の上方には側壁２ａの四周に亘って連続する形で支持板２ｂが設けられている。尚、この支持板２ｂは、図１に示すように、内容器本体３が外容器本体２に嵌装された際に、内容器本体３の底部３ｃが吸収性物品６に当接しないよう所定の高さ位置に設けられている。また、支持板２ｂは本実施形態では、図２に示すように外容器本体２の側壁２ａの四周に亘って連続した形で設けられているが、可動構造Ａに使用されるコイルばね（圧縮ばね）５を設置できる程度の寸法のものが各側壁２ａに少なくとも１箇所以上設けられた不連続なものであっても良い。
【００３０】
上記内容器本体３は、外容器本体２に嵌装されるものであり、同じくプラスチック材料を成形加工したものであって、側壁３ａと底部３ｃと開口３ｄとから構成され、側壁３ａの上端縁には四周に亘ってフランジ３ｂが形成されており、底部３ｃは図３に示すように尿等の液体を透過するための孔３ｅがすのこ状体に配置されている。尚、内容器本体３の底部３ｃに形成される孔３ｅは、内容器本体３に充填される粒状体（砂）６が通過することなく尿等の液体を透過することができる程度の大きさであって、その形は上記のすのこ状体に限定されるものではなく、例えば網目状体、格子状体等に形成されたものであってもよい。
【００３１】
尚、外容器本体２および内容器本体３はポリエチレン等のプラスチック材料を成形したものとしたが、これに限定されず、例えばステンレス等の金属材料を加工したものであってもよい。尚、コスト面、成形性等の面からプラスチック材料で加工したものが好ましい。また、プラスチック材料の中でも、ガラス繊維等で強化した繊維強化プラスチック材料が強度面等からより好ましい。
【００３２】
そして、ペット用トイレ１は上記の構成部材を図４に示すようにして形成される。先ず、外容器本体２に吸収性物品４が挿入され、図１に示すように外容器本体２の底部２ｃ上に配設される。次いでコイルばね（圧縮ばね）５が外容器本体２の支持板２ｂ上面に設置され、その後、粒状体（砂）６が充填された内容器本体３を外容器本体２の開口２ｄ上から取り外し自在に嵌装させる。この際、コイルばね（圧縮ばね）５の設置は、外容器本体２の支持板２ｂおよび内容器本体３のフランジ３ｂに相対する位置に形成されたコイルばね（圧縮ばね）５のコイル径とほぼ同じか多少小さい径の円筒状の突起（図示せず）に先端部分を嵌合して行われる。尚、このコイルばね（圧縮ばね）５の設置は、ペット用トイレ１の繰り返しの使用においてコイルばね（圧縮ばね）５がずれたりしないように固定できればよく、上記の他に例えば外容器本体２の支持板２ｂ、または内容器本体３のフランジ３ｂのいずれか一方に接着剤等で予め固定しておいてもよい。
【００３３】
この様にして形成されたペット用トイレ１は図１に示すように、内容器本体３は、その底部３ｃが吸収性物品４から離間した状態で、外容器本体２と可動構造Ａを介して保持されている。そして、ペットが排泄のためにペット用トイレ１に入って、内容器本体３内に入ると、可動構造Ａを構成するコイルばね（圧縮ばね）５が圧縮されて縮み、内容器本体３が下方に移動して内容器本体３の底部３ｃが吸収性物品４に当接することになる。一方、ペットが排泄を終えてペット用トイレ１から出ると、圧縮されていたコイルばね（圧縮ばね）５は復元して元に戻り、内容器本体３が元の位置に戻る。
【００３４】
尚、内容器本体３を弾性変形し易い材質のものとして、図５に示すように、内容器本体３の底部３ｃが下方に撓んで吸収性物品４に接触するようにしてもよい。
【００３５】
内容器本体３を外容器本体２内に嵌装させて保持する方法としては、上記の他に図６に示すようにしてもよい。図６はこの図１の実施形態の別態様を示す概略断面図であって、図６（ａ）は、可動構造に使用するコイルばね５を引張ばねとして、このコイルばね（引張ばね）５の一端を外容器本体２の支持板２ｂの下面側に形成された保持部２ｆに下方に向けて設置し、コイルばね（引張ばね）５の他端を内容器本体３のフランジ３ｂの上面側に形成された保持部３ｆに設置して、内容器本体３を外容器本体２に吊り下げて嵌装したものである。尚、支持板２ｂおよびフランジ３ｂへの取り付けは、例えば相対する位置に形成された保持部２ｆ，３ｆにコイルばね（引張ばね）５の先端部を引っ掛けるための孔を形成して、この孔に引っ掛けて設置する等で行われるが、これに限定されずコイルばね（引張ばね）５が取り外し可能な方法で設置できればよい。また、図６（ｂ）は、図６（ａ）において、コイルばね（引張ばね）５に内容器本体３を吊り下げて保持する際に、コイルばね（引張ばね）５の下端に保持部３ｆを有する保持部材３ｇを設けて、この保持部材３ｇに内容器本体３のフランジ３ｂを載せて吊り下げて嵌装したものである。また、図６（ｃ）はコイルばね（引張ばね）５を横方向（図の左右方向）に向けて設置したもので、コイルばね（引張ばね）５の一方の先端を外容器本体２の側壁２ａに固定し、他方の先端に保持部材３ｇを設け、内容器本体３の側壁３ａを保持部材３ｇで保持する形で嵌装したものである。いずれの保持方法であっても、ペットが排泄のためにペット用トイレ１に入ると、ペットの自重で可動構造に使用されているコイルばね（引張ばね）５が伸長して、内容器本体３が同様に下方に移動して底部３ｃが吸収性物品４に接触する。一方、ペットが排泄を終えてペット用トイレ１から出ると、伸長していたコイルばね（引張ばね）５は復元されて、内容器本体３が元の位置に戻るという機能が得られる。
【００３６】
上記圧縮ばねや引張ばね等のコイルばね５は、外容器本体２に内容器本体３が嵌装される際に、これら容器本体２，３の間に配置され、内容器本体３を上下方向に可動するためのものであって、上記のコイルばね以外に板ばね等といったばね弾性を有するものが好ましく使用される。更に、ばね弾性体に限られずゴム弾性体であってもよい。
【００３７】
いずれにしても、この可動構造Ａに使用されるコイルばね５等の弾性体は、ペットがトイレ内にいない通常の状態では、内容器本体３が外容器本体２の底部２ｃ上に配設された吸収性物品４に接触しないように、浮いた状態を保持でき、ペットが内容器本体３内に入った際に、ペットの自重で内容器本体３が下方に下がって、その底部３ｃが吸収性物品４と接触できる程度の弾性力を有するものであって、その材質や個数等は、対象とするペットの種類や大きさ等によって適宜選定すればよい。
【００３８】
上記吸収性物品４は、尿等の液体を吸収するシート状のものを意味し、パルプや高吸水性ポリマー素材から形成される。この吸収性物品４を用いることにより、尿等の液体が吸収され、粒状体（砂）６上の排泄物の減量化を図ることができる。すなわち、粒状体（砂）６と接触することにより、粒状体（砂）６上に吸着されている尿等の液体が吸収性物品４に効率よく吸収される。
【００３９】
上記粒状体（砂）６は、犬や猫などのペットが排泄する際の便床を構成する粒子の比較的細かい粒状のものを意味し、川砂や海砂等の砂、鉱物系のゼオライト、尿などを吸収すると固まるベントナイト、粉砕パルプ等を固めて円柱形または球形の粒状に成形したセルロース粒などの他、シリカゲル等の固まらずに吸水性を有する素材からなる粒などが挙げられる。
【００４０】
尚、内容器本体３は、外容器本体３と可動構造Ａを介して取り外し自在に嵌装されているので、内容器本体３に充填されている粒状体（砂）６が汚れた際には交換することができる。
【００４１】
上記トイレにおいて、ペットが排泄する場合には、先ずペットがペット用トイレ１の内容器本体３内に入るが、この際ペットの自重で可動構造Ａのコイルばね（圧縮ばねあるいは引張ばね）５が圧縮あるいは伸長して、内容器本体３が下方に下がり、内容器本体３の底部３ｃが吸収性物品４に接触する。これによって、吸収性物品４は粒状体（砂）６上に吸着された尿等の液体を吸収し、粒状体（砂）６上の尿等の液体を減量化させることになる。一方、ペットが排泄を終えて、ペット用トイレ１から出ると、可動構造Ａのコイルばね５が元の状態に復元され、内容器本体３が上方に移動して、内容器本体３と吸収性物品４とは離間して空間が形成される。これによって、吸収性物品６に吸収された尿等の液体は、粒状体（砂）６に再び移行しないので、粒状体（砂）６上の尿等の液体が減量化されるので、粒状体（砂）６が長持ちすることになると共に、排泄時の快適性が向上する。
【００４２】
次に、本発明の第２の実施形態について図７を参照して説明する。図７は第２の実施形態に係るペット用トイレ１０を示す概略断面図である。尚、以下の実施形態では第１の実施形態と同一の構成要素には同一符号を付して、その重複する説明を省略する。
【００４３】
この実施形態は、外容器本体２と、内容器本体３と、外容器本体２の底部上に配設された吸収性物品４と、内容器本体３に充填された粒状体（砂）６とを主要素として構成されている。
【００４４】
外容器本体２は、第１の実施形態と同様に側壁２ａと底部２ｃと開口２ｄとから構成されている。また、内容器本体３は、外容器本体２に嵌装されるものであり、第１の実施形態と同様に側壁３ａと底部３ｃと開口３ｄとから構成され、側壁３ａの上端縁に四周に亘って外方に向けフランジ３ｂが形成されており、底部３ｃは尿等の液体を透過するための孔３ｅがすのこ状体に形成されている。さらに、その底部３ｃには内容器本体３を支えるために、高さ約１０ｍｍ程度の足部３ｈが少なくとも四隅に設けられている。また、内容器本体３の底部３ｃは、ポリエチレンやポリプロピレン等のプラスチック素材、ゴムといった弾力性を有する素材、あるいは、金網等の素材から形成され、適度な撓みを有するものとなっている。
【００４５】
そして、図７に示すように、内容器本体３を外容器本体２内に嵌装してペット用トイレ１０が形成される。このペット用トイレ１０は内容器本体３の底部３ｃに形成された足部３ｈによって通常は内容器本体３の底部３ｃは吸収性物品４から離間した状態で保持されている。また、内容器本体３の底部３ｃは弾力性を有する素材であるので、第１の実施形態と同様に通常は内容器本体３の底部３ｃと吸収性物品４とは接触していないが、ペットが排泄のためにペット用トイレ１０に入った際に、ペットの自重で内容器本体３の底部３は下方に撓んで吸収性物品４に接触することになる（図７の下段の図参照）。これによって、第１の実施形態と同様に吸収性物品４が粒状体（砂）６上の尿等の液体を吸収する。
【００４６】
尚、本実施形態では、内容器本体３はその底部３ｃに足部３ｈを設けて、外容器本体２の底部２ｃ上に設置する構造にしているが、内容器本体３の側壁３ａの材質や強度にもよるが、足部３ｈを設けないで、フランジ３ｂを外容器本体２の側壁２ａの上端部に載せて、このフランジ３ｂで吊り下げるようにしてもよい。
【００４７】
以上のように本発明に係るペット用トイレに関して、例を示す図面を参照しつつ具体的に説明したが、本発明はもとより図示例に限定される訳ではなく、前述の趣旨に適合し得る範囲で適当に変更を加えて実施することも可能であり、それらはいずれも本発明の技術的範囲に包含される。
【００４８】
例えば、可動構造Ａに使用される弾性体としてコイルばね５を使用した実施形態について述べたが、これに限ることなく、所謂ゴム弾性体であってもよい。
【００４９】
【発明の効果】
以上説明したように、本発明に係るペット用トイレは、ペットが排泄した尿等の液体を効率よく吸収性物品に吸収できるものであると共に、一旦吸収された尿等の液体が再び砂に逆戻りしないことになる。すなわち、通常時は、粒状体（砂）を充填した内容器本体の底部と吸収性物品とは離れた状態にあるが、排泄時にはペットの自重で内容器本体が下方に移動して両者が接触することになるため、排泄された尿等の液体は、吸収性物品に誘導されて粒状体（砂）内から効率よく吸収性物品に吸収される。一方、通常時は、内容器本体の底部と吸収性物品とは離れているので、吸収性物品に一旦吸収された尿等の液体が、再び粒状体（砂）に逆戻りすることがない。このため、粒状体（砂）上は尿等の液体が減量化されるので、粒状体（砂）の耐久性が向上されると共に、排泄時の快適性も向上される。
【図面の簡単な説明】
【図１】本発明のペット用トイレに係る第１の実施形態を示す概略断面図である。
【図２】第１の実施形態のペット用トイレの分解斜視図である。
【図３】第１の実施形態に係る内容器本体の概略平面図である。
【図４】内容器本体を外容器本体内に嵌装する状態を説明する説明図である。
【図５】第１の実施形態において内容器本体を変えた別実施例の使用状態図である。
【図６】第１の実施形態において可動構造を変えた別実施例を示す概略断面図である。
【図７】本発明のペット用トイレに係る第２の実施形態を示す概略断面図である。
【図８】従来の実施例の使用状態を説明する説明図である。
【符号の説明】
１、１０  ペット用トイレ
２  外容器本体
２ａ  側壁、  ２ｂ  支持板、  ２ｃ  底部、  ２ｄ  開口、  ２ｆ  保持部
３  内容器本体
３ａ  側壁、  ３ｂ  フランジ、  ３ｃ  底部（透水性の底部）、
３ｄ  開口、  ３ｅ  孔、  ３ｆ  保持部、  ３ｇ  保持部材、  ３ｈ  足  部
４  吸収性物品
５  コイルばね（圧縮ばねあるいは引張ばね）
６  粒状体（砂）
Ａ  可動構造
【図１】
2004180571.tif 000003
【図２】
2004180571.tif 000004
【図３】
2004180571.tif 000005
【図４】
2004180571.tif 000006
【図５】
2004180571.tif 000007
【図６】
2004180571.tif 000008
【図７】
2004180571.tif 000009
【図８】
2004180571.tif 000010